(57)【要約】【課題】天板の下面に電装部品が支持されていても、天板を筐体に容易に固定できる加熱調理器を提供する。【解決手段】筐体２の前面に左フロントパネル８０と右フロントパネル９０が固定される。天板３の下面の前側部にセンサケース４０が固定される。センサケース４０は、電装基板と複数のセンサを収容して支持する。左フロントパネル８０の上端部には、前側からネジ１０１を差し込み可能な挿入穴８１３が設けられる。右フロントパネル９０の上端部には、前側からネジ１０２を差し込み可能な挿入穴９１３が設けられる。天板３の下面の前側部には、下方に延びる左固定板部５１と右固定板部５２が設けられる。天板３を筐体２の上部に載置したとき、挿入穴８１３、９１３と、左固定板部５１及び右固定板部５２の固定穴５１Ａ、５２Ａとが互いに前後方向に重なり、ネジ１０１、１０２が差し込まれて締結される。【選択図】図６
2020193771.tif 000002
【特許請求の範囲】
【請求項１】
上部が開口する筐体と、
前記筐体の前面に固定されるフロントパネルと、
前記筐体の上部に前記開口を閉塞するように固定される天板と、
前記天板の下面に固定され、当該下面に電装部品を支持する電装部品支持部と
を備えた加熱調理器において、
前記フロントパネルには、前後方向に貫通し、前側からネジを差し込み可能な差し込み穴が設けられ、
前記天板の前記下面の前側には、下方に延びる固定板部が設けられ、
前記固定板部には、前後方向に貫通する固定穴が設けられ、
前記天板を前記筐体の上部に載置したときに、前記差し込み穴と前記固定穴とが互いに前後方向に重なるように配置され、前記差し込み穴と前記固定穴とに前記ネジが差し込まれて締結されることによって、前記天板と前記フロントパネルが互いに固定されること
を特徴とする加熱調理器。
【請求項２】
前記フロントパネルには、後方に延び、前側から後方に向けて工具を内側に挿入可能な筒状の工具挿入部が設けられ、
前記差し込み穴は、前記工具挿入部の後方に延びる奥側に設けられ、
前記工具挿入部の内側に挿入された前記工具によって、前記差し込み穴と前記固定穴とに差し込まれた前記ネジが締結されること
を特徴とする請求項１に記載の加熱調理器。
【請求項３】
前記筐体の中央側に設けられるグリル庫と、
前記筐体の前記前面の中央側に設けられ、前記グリル庫の前面に設けられたグリル開口を開閉するグリル扉と
をさらに備え、
前記フロントパネルは、前記筐体の前記前面において、前記グリル扉の左右両側に夫々固定される左右一対のフロントパネルであって、
前記固定板部は、前記天板の前記下面の前記前側における左右両側部から下方に延びる左右一対の固定板部であって、
前記天板を前記筐体の上部に載置したときに、前記左右一対の固定板部は、前記グリル扉を左右両側から挟む位置に配置され、前記左右一対のフロントパネルの夫々の前記差し込み穴と、前記左右一対の固定板部の夫々の前記固定穴とが互いに前後方向に重なるように配置されること
を特徴とする請求項１又は２に記載の加熱調理器。
【請求項４】
前記固定板部の前記固定穴が、前記フロントパネルの前記差し込み穴と前後方向に重なる位置を所定位置とした場合、
前記筐体には、前記天板を前記筐体の上部に載置するときに、前記固定板部に接触することにより、前記固定板部を前記所定位置にガイドするガイド部が設けられたこと
を特徴とする請求項１から３の何れか一に記載の加熱調理器。
【発明の詳細な説明】
【技術分野】
【０００１】
本発明は、加熱調理器に関する。
【背景技術】
【０００２】
従来、天板の下面に前後方向に延びる係止爪部を設けたガスコンロが知られている（例えば、特許文献１参照）。このガスコンロでは、天板を筐体の上部に載せた後に、操作つまみを前側にスライドさせると、係止爪部が筐体の係止穴に差し入れられて筐体に天板が固定される。また、天板の下面の前側に異物の進入を検出可能な複数の光センサを左右方向に広く設け、当該複数の光センサのうちいずれかが異物の進入を検出した場合、コンロバーナの火力を絞ることができるコンロも知られている（例えば、特許文献２参照）。このような特許文献２に記載のコンロに、特許文献１に記載の係止爪部を利用した天板の固定構造を適用することが考えられる。
【先行技術文献】
【特許文献】
【０００３】
【特許文献１】特開２０１４−５９５１号公報
【特許文献２】特開２０１８−１２８１６３号公報
【発明の概要】
【発明が解決しようとする課題】
【０００４】
ところが、特許文献２に記載のコンロの天板の下面には、複数の光センサが左右方向に広く設けられているため、そのような天板の下面において、係止爪部を前側にスライドさせるスペースがない。このことから、特許文献１に記載の係止爪部を利用して、天板を筐体に固定するのは困難であった。
【０００５】
本発明の目的は、天板の下面に電装部品が支持されていても、天板を筐体に容易に固定できる加熱調理器を提供することである。
【課題を解決するための手段】
【０００６】
請求項１の加熱調理器は、上部が開口する筐体と、前記筐体の前面に固定されるフロントパネルと、前記筐体の上部に前記開口を閉塞するように固定される天板と、前記天板の下面に固定され、当該下面に電装部品を支持する電装部品支持部とを備えた加熱調理器において、前記フロントパネルには、前後方向に貫通し、前側からネジを差し込み可能な差し込み穴が設けられ、前記天板の前記下面の前側には、下方に延びる固定板部が設けられ、前記固定板部には、前後方向に貫通する固定穴が設けられ、前記天板を前記筐体の上部に載置したときに、前記差し込み穴と前記固定穴とが互いに前後方向に重なるように配置され、前記差し込み穴と前記固定穴とに前記ネジが差し込まれて締結されることによって、前記天板と前記フロントパネルが互いに固定されることを特徴とする。
【０００７】
請求項２の加熱調理器の前記フロントパネルには、後方に延び、前側から後方に向けて工具を内側に挿入可能な筒状の工具挿入部が設けられ、前記差し込み穴は、前記工具挿入部の後方に延びる奥側に設けられ、前記工具挿入部の内側に挿入された前記工具によって、前記差し込み穴と前記固定穴とに差し込まれた前記ネジが締結されるとよい。
【０００８】
請求項３の加熱調理器は、前記筐体の中央側に設けられるグリル庫と、前記筐体の前記前面の中央側に設けられ、前記グリル庫の前面に設けられたグリル開口を開閉するグリル扉とをさらに備え、前記フロントパネルは、前記筐体の前記前面において、前記グリル扉の左右両側に夫々固定される左右一対のフロントパネルであって、前記固定板部は、前記天板の前記下面の前記前側における左右両側部から下方に延びる左右一対の固定板部であって、前記天板を前記筐体の上部に載置したときに、前記左右一対の固定板部は、前記グリル扉を左右両側から挟む位置に配置され、前記左右一対のフロントパネルの夫々の前記差し込み穴と、前記左右一対の固定板部の夫々の前記固定穴とが互いに前後方向に重なるように配置されるとよい。
【０００９】
請求項４の加熱調理器は、前記固定板部の前記固定穴が、前記フロントパネルの前記差し込み穴と前後方向に重なる位置を所定位置とした場合、前記筐体には、前記天板を前記筐体の上部に載置するときに、前記固定板部に接触することにより、前記固定板部を前記所定位置にガイドするガイド部が設けられるとよい。
【発明の効果】
【００１０】
請求項１の加熱調理器によれば、天板の下面の前側から下方に延びる固定板部を、筐体に固定されたフロントパネルに固定する。これにより、天板の下面の広い範囲に電装部品支持部を固定した場合であっても、天板を筐体に固定できる。
【００１１】
請求項２の加熱調理器によれば、工具挿入部内にネジと工具を挿入し、ネジ止め作業を行うことができる。これにより、仮にネジ止め作業の途中でネジが外れても、工具挿入部内に落下するので、キッチンのキャビネット内にネジが落下するのを防止できる。
【００１２】
請求項３の加熱調理器によれば、筐体の前面の左右両側に左右一対のフロントパネルが固定された加熱調理器である。加熱調理器は、天板の下面の前側から下方に延びる左右一対の固定板部を、筐体に固定された左右一対のフロントパネルに固定する。これにより、天板の下面の広い範囲に電装部品支持部を固定した場合であっても、天板を筐体に対してバランス良く安定して固定できる。
【００１３】
請求項４の加熱調理器によれば、固定板部を所定位置に容易に配置できるので、天板を筐体にネジで固定する際の作業性を向上できる。
【図面の簡単な説明】
【００１４】
【図１】コンロ１の斜視図である。
【図２】コンロ１の平面図である。
【図３】天板３の下面から延びる左固定板部５１と右固定板部５２と、左フロントパネル８０及び右フロントパネル９０とが固定された状態の斜視図である。
【図４】図３に示す構造体を別角度から見た斜視図である。
【図５】図４に示す構造体を上下逆にして載置したときの斜視図である。
【図６】天板３、左フロントパネル８０、右フロントパネル９０の分解斜視図である。
【図７】天板３の左固定板部５１と右固定板部５２が、筐体２の左ガイド部２０１と右ガイド部２０２によりガイドされ、左フロントパネル８０の工具挿入部８１２と、右フロントパネル９０の工具挿入部９１２とに対して位置決めされた状態を上方から見た概略図である。
【発明を実施するための形態】
【００１５】
以下、本発明の実施形態を説明する。以下に記載される装置の構造などは、特定的な記載がない限り、それのみに限定する趣旨ではなく、単なる説明例である。図面は、本発明が採用しうる技術的特徴を説明する為に用いられるものである。
【００１６】
図１〜図５を参照し、コンロ１の構造を説明する。図１に示すコンロ１は、ビルトインコンロである。コンロ１は筐体２と天板３を備える。天板３は、筐体２の上部開口を塞ぐように位置決めして固定される。天板３はガラス製であり、その下面には、一部透過性を有する非透過性の印刷が施される。天板３の上面左側には左バーナ４、上面右側には右バーナ５、上面後側にはグリル用の排気口７が夫々設けられる。排気口７には、網状のカバー７Ｃが設置される。カバー７Ｃを取り外すと、図４に示すように、排気口７の左側には後側固定穴７Ａ、排気口７の右側には後側固定穴７Ｂが設けられる。これら後側固定穴７Ａ、７Ｂは、筐体２の内側後部に設けられた左右一対の固定穴（図示略）に対して上方から重なり、ネジが上方から締結される。
【００１７】
図１に示すように、筐体２の前面の中央部には、グリル扉８が手前側に引き出し可能に設けられる。グリル扉８は、筐体２内部に設けられるグリル庫１０（図３参照）の前側のグリル開口（図示略）を開閉する。グリル扉８の前面の上部には、取手８Ａが前方に突出して設けられる。筐体２の前面において、グリル扉８の左側の上下には、化粧板６Ａ、６Ｂが取り付けられ、右側の上下には、化粧板６Ｃ、６Ｄが取り付けられる。
【００１８】
筐体２の前面から右側の化粧板６Ｃ、６Ｄを取り外すと、図３に示すように、右フロントパネル９０の前面が露出する。右フロントパネル９０の前面上部には、電源スイッチ１９が設けられる。化粧板６Ｃの前面上部には、開口６６が設けられ、該開口６６から電源スイッチ１９が前方に突出する（図１参照）。右フロントパネル９０の前面下部には、筒状の吸気通路部９５と操作部９が設けられる。吸気通路部９５は後方に延設され、その前端部には空気入口９５１が設けられる。空気入口９５１は、筐体２の底面の前側付近において下向きに開口する。操作部９はグリル操作用であって、右フロントパネル９０の前面下部に回動可能に支持される。吸気通路部９５は、空気入口９５１から外部の空気を内側に取り入れる。
【００１９】
筐体２の前面から左側の化粧板６Ａと６Ｂを取り外すと、図３に示すように、左フロントパネル８０の前面が露出する。左フロントパネル８０の前面の略中央部には、電池ケース８３が手前側に引き出し可能に設けられる。左フロントパネル８０の前面下部には、吸気通路部８５が設けられる。吸気通路部８５は後方に延設され、その前端部には空気入口８５１が設けられる。空気入口８５１は、筐体２の底面の前側付近において下向きに開口する。吸気通路部８５は、空気入口８５１から外部の空気を内側に取り入れる。
【００２０】
図２に示すように、天板３の上面の前側部において、左バーナ４の前側には、左バーナ４を操作する為の左操作部１１が設けられ、右バーナ５の前側には、右バーナ５を操作する為の右操作部１２が設けられる。左操作部１１には、左バーナ４の点火、消火、及び火力の増減等の操作を、指先のタッチで受け付ける複数の受付部と、タイマ時間等を表示する表示部と、使用状態に応じて点灯、又は点滅する発光表示部等が設けられる。右操作部１２にも、左操作部１１と同様に、右バーナ５の操作に対応する複数の受付部、表示部、発光表示部等が設けられる。左バーナ４と右バーナ５に挟まれる中央部の前側には、グリル使用中に点灯するグリル用発光表示部１３が設けられる。左操作部１１と右操作部１２において、受付部、発光表示部、及びグリル用発光表示部１３は、天板３に印刷された透光性を有するボタン、マーク、又は記号等である。表示部は、天板３の非印刷領域であって、透明性を有する窓部である。
【００２１】
天板３の下面の前側部には、上面に設けられた左操作部１１、右操作部１２、グリル用発光表示部１３に対応するように、一枚の電装基板（図示略）が接着剤、又は両面テープ等で貼着される。その電装基板を下方から覆うようにして、センサケース４０が固定板３Ａ（図４、図５参照）を介してネジで固定される。センサケース４０は、左右方向に長い樹脂製の筐体である。天板３の下面に貼着された電装基板は、センサケース４０の内側に収容されると共に、天板３の下面に対して下方から支持される。
【００２２】
電装基板の上面において、受付部に対応する位置には、指先のタッチを感知する静電容量方式の感知部が設けられ、表示部に対応する位置には、７セグ表示器が設けられ、発光表示部及びグリル用発光表示部１３に対応する位置には、ＬＥＤ等の発光部が設けられる。これらにより、左操作部１１と右操作部１２において、各受付部における指先のタッチは、電装基板の各感知部によって感知され、７セグ表示器による表示、及び発光部による発光は、表示部、発光表示部、及びグリル用発光表示部１３においてユーザに認識される。
【００２３】
左操作部１１の後側には、平面視略円弧状のセンサ用窓部１５が設けられ、右操作部１２の後側には、平面視略円弧状のセンサ用窓部１６が設けられ、グリル用発光表示部１３の後側には、平面視略矩形状のセンサ用窓部１７が設けられる。センサ用窓部１５〜１７は透明性を有する非印刷領域であり、上方から見た場合に天板３下方を透過する。センサ用窓部１５の下方には、左から右に４つのセンサ３１〜３４が夫々配置される。センサ用窓部１６の下方には、左から右に４つのセンサ３５〜３８が夫々配置される。センサ用窓部１７の下方には、１つのセンサ３９が配置される。これら９つのセンサ３１〜３９（以下総称する場合は「センサ３０」と呼ぶ）は、上方に位置する異物までの距離を測定可能な一般的な測距センサであり、例えば赤外線センサである。これら９つのセンサ３１〜３９は、天板３の下面に固定されたセンサケース４０に収容されると共に、天板３の下面側に支持される。
【００２４】
図３、図４に示すように、センサケース４０の左端部には左筒部４２が設けられ、右端部には右筒部４３が設けられる。左筒部４２及び右筒部４３は、センサケース４０の左右両端部から下方に突出する。左筒部４２の開口する下端部と、左フロントパネル８０の吸気通路部８５の後端開口部（図示略）との間には、上下方向に延びる略筒状の左ダクト部７１が接続される。左ダクト部７１の内側には、左冷却ファン（図示略）が取り付けられる。左冷却ファンの駆動により、左ダクト部７１は、空気入口８５１から吸気通路部８５内に空気を取り込み、冷却空気としてセンサケース４０に供給する。一方、右筒部４３の開口する下端部と、右フロントパネル９０の吸気通路部９５の後端開口部（図示略）との間には、上下方向に延びる略筒状の右ダクト部７２が接続される。右ダクト部７２の内側には、右冷却ファン（図示略）が取り付けられる。右冷却ファンの駆動により、右ダクト部７２は、空気入口９５１から吸気通路部９５内に空気を取り込み、冷却空気としてセンサケース４０に供給する。
【００２５】
図示しないが、センサケース４０の内側には、基板収容部とセンサ収容部が設けられる。基板収容部には、電装基板が配置されると共に、左ダクト部７１及び右ダクト部７２から供給された冷却空気が流れる空気流路が設けられる。電装基板の近傍を冷却空気が流れることによって、電装基板が冷却される。一方、センサ収容部には、センサ３１〜３９が配置されると共に、左ダクト部７１及び右ダクト部７２から供給された冷却空気が流れる空気流路が設けられる。センサ３１〜３９の近傍を冷却空気が流れることによって、センサ３１〜３９が冷却される。センサケース４０の前面の中央部には、左右一対の前側排出口５４Ａ、５４Ｂ（図３参照）が設けられる。センサケース４０の下面の中央部には、下方に突出する筒状の後側排出口６８が設けられる。基板収容部を流れた冷却空気は、前側排出口５４Ａ、５４Ｂから外部に排出される。センサ収容部を流れた冷却空気は、後側排出口６８から外部に排出される。
【００２６】
ここで、センサ３０の構造と機能を説明する。センサ３０は、図示しない発光部と受光部を備える。発光部は上方に向けて赤外光を発光する。受光部は、発光部が発光した赤外光が異物に反射した反射光を受光する。センサ３０は、受光部が受光した反射光の強度に基づき、三角測距方式を応用して異物までの距離を測定する。センサ３０は、対応するセンサ用窓部１５〜１７の上方に異物（例えば、ユーザの身体の一部等）が侵入した場合、その異物で反射した反射光を、センサ用窓部１５〜１７を介して受光部で受信し、異物までの距離を測定する。センサ３０は、測定した異物までの距離を距離信号として、コンロ１の制御部（図示略）に出力する。制御部は受信した距離信号に基づき、検出した異物の高さが天板３から所定高さ範囲内であると判断した場合に異物有りと判定し、燃焼中のコンロバーナ（左バーナ４、右バーナ５）の火力を速やかに絞る制御を行う。
【００２７】
図３〜図５を参照し、天板３の下面の前側部に設けられる左固定板部５１及び右固定板部５２を説明する。上記の通り、天板３の下面の前側部には、左右方向に長いセンサケース４０がネジで固定される。そのセンサケース４０の前側で、且つ左右両側には、下方向に延びる一対の左固定板部５１及び右固定板部５２が設けられる。左固定板部５１及び右固定板部５２は、夫々、正面視上下方向に長い略矩形板状に形成される。左固定板部５１の下端部には、固定穴５１Ａが設けられ、右固定板部５２の下端部には、固定穴５２Ａが設けられる。固定穴５１Ａ、５２Ａは、左固定板部５１及び右固定板部５２を前後方向に貫通する。これら左固定板部５１及び右固定板部５２は、筐体２の前面に固定された左フロントパネル８０及び右フロントパネル９０に対して、ネジ１０１、１０２で固定される（図６参照）。なお、左固定板部５１及び右固定板部５２を用いて、筐体２に天板３を固定する具体的な方法については後述する。
【００２８】
図６を参照し、右フロントパネル９０の構造を説明する。なお、左フロントパネル８０と右フロントパネル９０の基本構造は略同一であるので、本実施形態では、右フロントパネル９０の構造を中心に説明する。右フロントパネル９０は正面視縦長略矩形状に形成され、前壁部９１と後方筒部９２を備える。前壁部９１は、正面視上下方向に長い略矩形状に形成される。前壁部９１の右上角部、左上角部、右下角部には、前後方向に貫通する３つのパネル側固定穴９１１が設けられる。これら３つのパネル側固定穴９１１は、筐体２の前面の右側に設けられた３つの筐体側固定穴（図示略）の前側に重なる。筐体側固定穴は前側に向けて開口する。そして、互いに重なるパネル側固定穴９１１と筐体側固定穴に対してネジが前方から締結されることによって、右フロントパネル９０が筐体２の前面の右側に固定される。
【００２９】
前壁部９１は、本体部９１Ａと枠部９１Ｂを備える。本体部９１Ａは前壁部９１の上側に設けられ、正面視略矩形状に形成される。本体部９１Ａは、電源スイッチ１９を前面の右上部に備える。本体部９１Ａの前面には、化粧板６Ｃ（図１参照）が取り付けられる。本体部９１Ａの背面の上端部で、且つ左右方向中央部よりもやや左側には、略円筒状の工具挿入部９１２が後方に突出して設けられる（図６参照）。工具挿入部９１２は、前後方向に延びる挿入穴９１３を中央部に備える。挿入穴９１３の前端部は、前壁部４１の上端部の前面において前向きに開口する。挿入穴９１３には、ネジ１０２を回す為の工具（図示略）の先端部を、前側から後方に向けて挿入可能である。工具は、例えば、ネジ１０２を回転させるプラスドライバー、マイナスドライバー等である。挿入穴９１３の奥側には、リング状の底部が設けられ、その底部の中央には、前後方向に貫通する差し込み穴９１４（図７参照）が設けられる。底部には、挿入穴９１３に対して前方から差し込まれたネジ１０２の頭部が係止し、軸部が差し込み穴９１４から後方に突出する。
【００３０】
枠部９１Ｂは、前壁部９１の下側に設けられ、正面視略矩形枠状に形成される。枠部９１Ｂの下部には、略三角柱状の操作部９の下部が回動可能に軸支される。操作部９の前面には、矩形状の開口部９Ｂが設けられ、その開口部９Ｂの内側に吸気通路部９５が配置される。操作部９の前面には、化粧板６Ｄ（図１参照）が固定される。化粧板６Ｄの上部を指で後方に押し込むと、操作部９は、右フロントパネル９０の前面に設けられたロック機構９８によるロックが外れ、下部を基点に前方に回動する。その結果、操作部９の背面側に設けられたグリル用の操作パネル（図示略）が前方に引き出される。後方筒部９２は、略四角筒状に形成され、枠部９１Ｂの後部から後方に突出して設けられる。吸気通路部９５は、後方筒部９２の底面に設けられる。
【００３１】
後方筒部９２の後端開口部を塞ぐように、右ダクト部７２の下端部がネジで固定される。右ダクト部７２の下端部には、挿入筒部（図示略）が前方に突出して設けられる。挿入筒部は、右ダクト部７２内部の空気流路と連通し、右フロントパネル９０の吸気通路部９５の後端開口部の内側に嵌り込んで接続される。これにより、吸気通路部９５の空気入口９５１から右ダクト部７２の上端開口部まで延びる吸気ダクトが形成される。
【００３２】
なお、詳述しないが、左フロントパネル８０も、右フロントパネル９０と同様に、筐体２の前面の左側にネジで固定される。図６に示すように、左フロントパネル８０は、前壁部８１と後方筒部８２を備える。前壁部８１の左上角部、右上角部、左下角部には、前後方向に貫通する３つのパネル側固定穴８１１が設けられる。前壁部８１の上端部の背面側で、且つ左右方向中央部よりもやや右側には、工具挿入部８１２が設けられる。工具挿入部８１２は、挿入穴８１３を内側に備える。挿入穴８１３の奥側には、リング状の底部が設けられ、その底部の中央には、前後方向に貫通する差し込み穴８１４（図７参照）が設けられる。底部には、挿入穴８１３に対して前方から差し込まれたネジ１０２の頭部が係止し、軸部が差し込み穴８１４から後方に突出する。吸気通路部８５は、後方筒部８２の底面に設けられる。後方筒部８２の後端開口部を塞ぐように、左ダクト部７１の下端部がネジで固定される。左ダクト部７１の下端部にも、挿入筒部（図示略）が前方に突出して設けられる。挿入筒部は、左ダクト部７１内部の空気流路と連通し、左フロントパネル８０の吸気通路部８５の後端開口部の内側に嵌り込んで接続される。これにより、吸気通路部８５の空気入口８５１から左ダクト部７１の上端開口部まで延びる吸気ダクトが形成される。
【００３３】
図３、図６、図７を参照し、筐体２の上部開口に対する天板３の固定方法の一例を説明する。作業者は、天板３を筐体２に固定する前に、左フロントパネル８０と右フロントパネル９０を筐体２の前面の左右両側にネジで夫々固定する。次いで、作業者は、天板３の下面を筐体２の上部開口に向け、筐体２の上部開口に対して上方から天板３を降ろして載置する。
【００３４】
ここで、図６、図７に示すように、筐体２の上部開口の前壁２００の内面には、左右方向に離間する一対の左ガイド部２０１と右ガイド部２０２が設けられる。なお、図３においては、左ガイド部２０１と右ガイド部２０２を省略している。左ガイド部２０１は平面視略Ｌ字状、右ガイド部２０２は平面視略逆Ｌ字状に形成され、互いに左右対称形状である。前壁２００の内面において、左ガイド部２０１は、左フロントパネル８０の工具挿入部８１２の後端部に相対する位置よりもやや右側に設けられる。右ガイド部２０２は、右フロントパネル９０の工具挿入部９１２の後端部に相対する位置よりも左側に設けられる。
【００３５】
作業者は、天板３を両手で持ちながら筐体２に向けて降ろす際、天板３の左固定板部５１の右端部を、筐体２の左ガイド部２０１の左側面に当接させ、天板３の右固定板部５２の左端部を、筐体２の右ガイド部２０２の右側面に当接させる。これにより、筐体２に対する天板３の左右方向の位置が自動的に決まる。さらに、左固定板部５１と右固定板部５２の夫々の前面を、筐体２の前壁２００の内面に接触させる。これにより、筐体２に対する天板３の前後方向の位置が自動的に決まる。
【００３６】
次いで、作業者は、前後左右の位置決めがなされた状態で、天板３を降ろし、天板３の上部開口を塞ぐように載置する。左固定板部５１及び右固定板部５２は、左ガイド部２０１及び右ガイド部２０２によって下方にガイドされる。そして、左固定板部５１は、左フロントパネル８０の工具挿入部８１２の後端部の後側である所定位置に位置決めされる。右固定板部５２は、右フロントパネル９０の工具挿入部９１２の後端部の後側である所定位置に位置決めされる。左固定板部５１の固定穴５１Ａは、工具挿入部８１２の挿入穴８１３に対向する。右固定板部５２の固定穴５２Ａは、工具挿入部９１２の挿入穴９１３に対向する。
【００３７】
次いで、作業者は、左フロントパネル８０の工具挿入部８１２の挿入穴８１３に対して前側からネジ１０１を挿入する（図６参照）。挿入穴８１３の底部にネジ１０１の頭部が係止し、差し込み穴８１４から軸部が後方に突出する。作業者は挿入穴８１３に工具の先端部を挿入し、ネジ１０１を回すことによって、ネジ１０１の軸部を左固定板部５１の固定穴５１Ａに締結させる。これにより、左フロントパネル８０の工具挿入部８１２と、天板３の左固定板部５１が互いに固定される（図４、図５参照）。このように、本実施形態は、工具挿入部８１２の挿入穴８１３内にネジ１０１と工具の先端部を挿入し、ネジ止め作業を行うように構成されているので、その作業の途中でネジ１０１が外れ、例えばキッチンのキャビネット内に落下するのを防止できる。外れたネジ１０１を、挿入穴８１３の内側で受けることができるので、作業性を向上できる。
【００３８】
一方、作業者は、左フロントパネル８０と同様に、右フロントパネル９０の工具挿入部９１２の挿入穴９１３に対して前側からネジ１０２を挿入する（図６参照）。挿入穴９１３の底部にネジ１０２の頭部が係止し、差し込み穴９１４から軸部が後方に突出する。作業者は挿入穴９１３に工具の先端部を挿入し、ネジ１０２を回すことによって、ネジ１０２の軸部を右固定板部５２の固定穴５２Ａに締結させる。これにより、右フロントパネル９０の工具挿入部９１２と、天板３の右固定板部５２が互いに固定される（図４、図５参照）。
【００３９】
そして、上記の通り、左フロントパネル８０及び右フロントパネル９０は、筐体２の前面の左右両側に既にネジで固定されている。このことから、天板３は、左フロントパネル８０及び右フロントパネル９０を介して、筐体２に固定される。このとき、排気口７の左右両側に設けられた後側固定穴７Ａ、７Ｂは、筐体２の内側後部に設けられた左右一対の固定穴（図示略）に対して上方から重なる。作業者は、後側固定穴７Ａ、７Ｂ及び左右一対の固定穴に対して上方からネジを締結する。このようにして、天板３は、筐体２の上部に固定される（図３参照）。
【００４０】
また、本実施形態においては、天板３の下面から下方に延びる左右一対の左固定板部５１と右固定板部５２を、筐体２に固定された左右一対の左フロントパネル８０及び右フロントパネル９０に固定する。これにより、天板３の下面において左右方向の広い範囲にセンサケース４０を固定していても、天板３を筐体２に対してバランス良く安定して固定できる。
【００４１】
以上説明したように、上記実施形態のコンロ１は、筐体２、左フロントパネル８０、右フロントパネル９０、天板３、センサケース４０を備える。筐体２の上部は開口する。左フロントパネル８０及び右フロントパネル９０は、筐体２の前面に固定される。天板３は、筐体２の上部に開口を閉塞するように固定される。センサケース４０は天板３の下面に固定され、電装基板とセンサ３１〜３９を天板３の下面に支持する。左フロントパネル８０には、前後方向に貫通し、前側からネジ１０１を差し込み可能な差し込み穴８１４が設けられる。右フロントパネル９０には、前後方向に貫通し、前側からネジ１０２を差し込み可能な差し込み穴９１４が設けられる。天板３の下面の前側部には、下方に延びる左固定板部５１及び右固定板部５２が設けられる。左固定板部５１及び右固定板部５２には、固定穴５１Ａ、５２Ａが設けられる。天板３を筐体２の上部に載置したときに、挿入穴８１３、９１３と、左固定板部５１及び右固定板部５２の固定穴５１Ａ、５２Ａとが互いに前後方向に重なるように配置される。そして、挿入穴８１３、９１３と固定穴５１Ａ、５２Ａとにネジ１０１、１０２が差し込まれて締結されることによって、天板３と、左フロントパネル８０及び右フロントパネル９０とが互いに固定される。これにより、天板３の下面の左右方向の広い範囲に、センサケース４０を固定した場合であっても、天板３を筐体２に対して容易に固定できる。
【００４２】
上記説明において、コンロ１は本発明の「加熱調理器」の一例である。センサケース４０は本発明の「電装部品支持部」の一例である。電装基板、センサ３１〜３９は本発明の「電装部品」の一例である。左フロントパネル８０及び右フロントパネル９０は、本発明の「フロントパネル」の一例である。左固定板部５１及び右固定板部５２は、本発明の「固定板部」の一例である。固定穴５１Ａ、５２Ａは本発明の「固定穴」の一例である。左ガイド部２０１及び右ガイド部２０２は、本発明の「ガイド部」の一例である。
【００４３】
なお、本発明は上記実施形態に限定されるものではなく、種々の変更が可能である。例えば、上記実施形態の右フロントパネル９０の上端部には、工具挿入部９１２が設けられ、その中央の挿入穴９１３の奥側に差し込み穴９１４が設けられるが、工具挿入部９１２を省略し、右フロントパネル９０の上端部に差し込み穴９１４を直接設けてもよい。なお、左フロントパネル８０の工具挿入部８１２においても同様である。
【００４４】
上記実施形態では、天板３の下面に左右一対の左固定板部５１及び右固定板部５２を備えるが、何れか一方のみでもよく、又は固定板部をさらに追加してもよい。例えば、フロントパネルが一つの場合、固定板部は一つでもよく、複数でもよい。固定板部を複数設けた場合、天板３の下面の前側部において左右均等になるように配置するとよい。これにより、天板３を筐体２の上部に対して、バランス良く強固に固定できる。
【００４５】
コンロ１は、グリル庫１０の左右両側に、左ダクト部７１と右ダクト部７２を備えるが、何れか一方のみでもよい。その場合、センサケース４０に対して、左右のうち片方から冷却空気を供給するようにすればよい。また、左フロントパネル８０と右フロントパネル９０の吸気通路部８５、９５も何れか一方のみにすればよい。
【００４６】
筐体２の前壁２００の内面には、左ガイド部２０１と右ガイド部２０２が設けられるが、その形状は上記実施形態に限定されない。左ガイド部２０１と右ガイド部２０２は、左固定板部５１及び右固定板部５２に対して内側から当接することによって、左右方向における位置決めを行いつつ下方にガイドするが、外側（左右両側）から当接してもよい。また、左ガイド部２０１と右ガイド部２０２のうち何れか一方を省略してもよい。
【００４７】
本実施形態のセンサケース４０は、電装基板と、センサ３１〜３９を収容して支持するものであるが、その他の電装部品を収容して支持するものであってもよい。また、収容する電装部品は一種類であってもよく、二種類以上であってもよい。
【００４８】
上記実施形態のコンロ１は、ビルトインコンロであるが、テーブルコンロであってもよい。また、コンロバーナの数は、上記実施形態では二つであるが、一つ、又は三つ以上であってもよい。
【００４９】
天板３上における複数のセンサ３０の配置、個数、場所についても、上記実施形態に限らず、自由に変更可能である。中央のセンサ３９は省略してもよい。センサ３０は赤外光を発光する赤外線センサであるが、異物を検出可能なセンサであればよい。
【符号の説明】
【００５０】
１    コンロ
２    筐体
３    天板
６Ｃ、６Ｄ    化粧板
８    グリル扉
１０    グリル庫
３１〜３９    センサ
４０    センサケース
５１    左固定板部
５２    右固定板部
５１Ａ、５２Ａ    固定穴
８０    左フロントパネル
９０    右フロントパネル
９１、９２    ネジ
１００    電装基板
２０１    左ガイド部
２０２    右ガイド部
８１２、９１２    工具挿入部
【図１】
2020193771.tif 000003
【図２】
2020193771.tif 000004
【図３】
2020193771.tif 000005
【図４】
2020193771.tif 000006
【図５】
2020193771.tif 000007
【図６】
2020193771.tif 000008
【図７】
2020193771.tif 000009